(57)【要約】      （修正有）【課題】携帯端末に装着した状態では、使用者に違和感なく、かつ携帯端末の使い勝手を維持した上で、携帯端末を載置して画像を見る場合でも、画像を見る人にとって見易く、安定した姿勢で画面を配置することができる携帯端末用カバーを提供する。【解決手段】スマートフォンカバー１に、スマートフォン５０の裏側Ｓ２にある端末背面部５２を少なくとも覆ってスマートフォン５０に装着されるカバー本体部１０と、カバー本体部１０とは別体で、カバー本体部１０を支えるカバー支持部２０とを有している。カバー支持部２０には、カバー本体部１０に形成された第１係着部と着脱可能に係着する第２係着部が形成されていること、スマートフォン５０に装着されたカバー本体部１０が、第１係着部と第２係着部とを係着することにより、カバー支持部２０に支持された状態で、傾斜姿勢に載置できること、を特徴とする。【選択図】図１
0003201080.tif 000002
【実用新案登録請求の範囲】
【請求項１】
画像を表示する画面が表側に配置された携帯端末に装着され、画面の外側で、携帯端末の形状に沿って携帯端末を覆う形態に形成された携帯端末用カバーにおいて、
前記携帯端末の裏側にある端末背面部を少なくとも覆って前記携帯端末に装着されるカバー本体部と、
前記カバー本体部とは別体で、前記カバー本体部を支えるカバー支持部と、を有し、
前記カバー本体部との接続箇所の片側として、前記カバー支持部には、前記カバー本体部に形成された第１係着部と着脱可能に係着する第２係着部が形成されていること、
前記携帯端末に装着された前記カバー本体部が、前記第１係着部と前記第２係着部とを係着することにより、前記カバー支持部に支持された状態で、傾斜姿勢に載置できること、
を特徴とする携帯端末用カバー。
【請求項２】
請求項１に記載する携帯端末用カバーにおいて、
前記第２係着部は、ドーナツ形状の前記カバー支持部の径方向外側に、前記カバー支持部の一部位から突出した突起部を有し、前記突起部の外周側に突出した係止片を含むものであること、
前記第１係着部は、前記カバー本体部の一部位で、当該カバー本体部の厚み方向に貫通した貫通穴を有し、前記貫通穴の内周面より外側に、前記係止片と係止可能に形成された係止溝を含むものであること、
を特徴とする携帯端末用カバー。
【考案の詳細な説明】
【技術分野】
【０００１】
この考案は、例えば、スマートフォン、タブレット端末等の携帯端末に装着する携帯端末用カバーに関する。
【背景技術】
【０００２】
近年、スマートフォン等の携帯端末を所有する人の中には、スマートフォン等に専用カバーを装着している人が、多く見られる。専用カバーとして、特許文献１に例示するスマートフォンカバーは、画面や内臓カメラ、電源スイッチ、操作ボタン等の操作部を除き、スマートフォン本体の形状に沿って、スマートフォン本体を覆う形態に形成されている。そのため、スマートフォンカバーがスマートフォンに装着されていても、スマートフォンカバーに違和感なく、スマートフォン単体の使用時と同じような使い勝手で、使用者は、手でスマートフォンを把持しながら、通話やメールの送受信、ゲーム等の専用アプリケーションの使用ほか、写真や動画を見ることができている。
【先行技術文献】
【特許文献】
【０００３】
【特許文献１】特開２０１５−１１６４５９号公報
【考案の概要】
【考案が解決しようとする課題】
【０００４】
昨今、通信時に多くのデータ量を必要とする動画でも、通信技術の大幅な進歩に伴い、スマートフォンで良好な状態で動画を見ることができるようになったため、使用者は、スマートフォンをテーブルやベッド等の台上に置いて、動画をゆっくりと楽しむ人が増えている。しかしながら、特許文献１に例示するようなスマートフォンカバーは、手に持ってスマートフォンを操作するときには、取扱い易く工夫されているが、使用者が、スマートフォンを台上に置いて動画を見る場合、スマートフォンは、画面を、台上で斜めの姿勢にできず、垂直方向真上または、不安定ながらも水平方向の姿勢でしか、台上に載置できない。画面がこのような姿勢では、長い時間、動画を見る使用者にとって、動画が見づらいという問題がある。
【０００５】
本考案は、上記問題点を解決するためになされたものであり、携帯端末に装着した状態では、使用者に違和感なく、かつ携帯端末の使い勝手を維持した上で、携帯端末を載置して画像を見る場合でも、画像を見る人にとって見易く、安定した姿勢で画面を配置することができる携帯端末用カバーを提供することを目的とする。
【課題を解決するための手段】
【０００６】
上記課題を解決するためになされた本考案の一態様は、画像を表示する画面が表側に配置された携帯端末に装着され、画面の外側で、携帯端末の形状に沿って携帯端末を覆う形態に形成された携帯端末用カバーにおいて、前記携帯端末の裏側にある端末背面部を少なくとも覆って前記携帯端末に装着されるカバー本体部と、前記カバー本体部とは別体で、前記カバー本体部を支えるカバー支持部と、を有し、前記カバー本体部との接続箇所の片側として、前記カバー支持部には、前記カバー本体部に形成された第１係着部と着脱可能に係着する第２係着部が形成されていること、前記携帯端末に装着された前記カバー本体部が、前記第１係着部と前記第２係着部とを係着することにより、前記カバー支持部に支持された状態で、傾斜姿勢に載置できること、を特徴とする。
【０００７】
この態様によれば、携帯端末を手に持って操作するときに、カバー支持部をカバー本体部から取り外しておけば、操作時にカバー支持部が邪魔になることなく、携帯端末の使用者は、従来通り、携帯端末用カバーに違和感なく、携帯端末を使用することができる。他方、携帯端末の使用者が、携帯端末を台上に置いて、画面の動画や写真等の画像を見る場合には、カバー本体部にカバー支持部を取付けると、携帯端末の画面が、台上で斜めの姿勢に配置できるため、この使用者が、携帯端末の画面で画像を見るときでも、使用者は長い時間、見易い状態で、画像を見ることができる。
【０００８】
上記の態様においては、前記第２係着部は、ドーナツ形状の前記カバー支持部の径方向外側に、前記カバー支持部の一部位から突出した突起部を有し、前記突起部の外周側に突出した係止片を含むものであること、前記第１係着部は、前記カバー本体部の一部位で、当該カバー本体部の厚み方向に貫通した貫通穴を有し、前記貫通穴の内周面より外側に、前記係止片と係止可能に形成された係止溝を含むものであること、が好ましい。
【０００９】
この態様によれば、携帯端末用の使用者が、携帯端末用を手に持って操作することと、携帯端末用を載置して画像を見ることを、選択的に頻繁に行う場合でも、カバー本体部に対し、カバー支持部の着脱が簡単にできる。
【考案の効果】
【００１０】
本考案に係る携帯端末用カバーによれば、携帯端末に装着した状態では、使用者に違和感なく、かつ携帯端末の使い勝手を維持した上で、携帯端末を載置して画像を見る場合でも、動画を見る人にとって見易く、安定した姿勢で画面を、配置することができる。
【図面の簡単な説明】
【００１１】
【図１】実施形態に係るスマートフォンカバーが装着されたスマートフォンを、傾斜姿勢で載置されている様子を示す斜視図である。
【図２】実施形態に係るスマートフォンカバーが装着されたスマートフォンを示す正面図である。
【図３】実施形態に係るスマートフォンカバーのうちのカバー本体部を、スマートフォンの端末背面部側から見た図である。
【図４】実施形態に係るスマートフォンカバーのうちのカバー支持部を示す正面図である。
【図５】図３中、Ａ−Ａ矢視断面で示したカバー本体部に、図４に示すカバー支持部を取付ける前の状態を示す説明図である。
【図６】図５に続き、図３中、Ａ−Ａ矢視断面で示したカバー本体部にカバー支持部を取付けた状態を示す説明図である。
【考案を実施するための形態】
【００１２】
以下、本考案に係る携帯端末用カバーについて、実施形態を図面に基づいて詳細に説明する。本考案に係る携帯端末用カバーは、例えば、スマートフォン、タブレット端末等の携帯端末に装着されるカバーであり、本実施形態では、例示する携帯端末を、アップル社製のスマートフォン（登録商標「ｉＰｈｏｎｅ６」）とし、このスマートフォンに装着するスマートフォンカバーである。なお、携帯端末の対象は、アップル社製のこのスマートフォンに限らず、画像を表示する画面を表側に配置したスマートフォンや、タブレット端末等であれば、何でも良い。
【００１３】
図１は、スマートフォンカバーが装着されたスマートフォンを、傾斜姿勢で載置されている様子を示す斜視図であり、そのスマートの正面図を図２に示す。スマートフォンカバー１は、カバー本体部１０と、このカバー本体部１０を支えるカバー支持部２０とからなり、カバー本体部１０とカバー支持部２０は何れも、例えば、熱可塑性ポリウレタンエラストマー(TPU：Thermoplastic Polyurethane)等の樹脂からなる。カバー本体部１０は、画像を表示する画面５１を表側Ｓ１に配置したスマートフォン５０に、このスマートフォン５０の裏側Ｓ２にある端末背面部５２を覆って装着され、画面５１の外側で、画面や内臓カメラ、電源スイッチ、操作ボタン等の操作部を除き、スマートフォン５０本体の形状に沿って、スマートフォン５０全体を覆う形態に形成されている。
【００１４】
図３は、カバー本体部を、スマートフォンの端末背面部側から見た図である。図３に示すように、カバー本体部１０には、第１係着部１２がカバー本体部１０のうち、装着されたスマートフォン５０の端末背面部５２と対向する一側部にある一部位１１に形成されている。カバー本体部１０の一部位１１は、スマートフォン５０の長辺方向（図３中、上下方向）の全長Ｌに対し、長手方向一端（図３中、下方端）を起点に、概ねＬ／４〜Ｌ／２離れた位置で、短辺方向（図３中、左右方向）の中央の位置に配置されている。
【００１５】
図５は、図３中、Ａ−Ａ矢視断面で示したカバー本体部に、図４に示すカバー支持部を取付ける前の状態を示す説明図である。図５に示すように、第１係着部１２は、当該カバー本体部１０の一側部の厚み方向ｔに貫通した略円柱状の貫通穴１３を有し、貫通穴１３の内周面１４より外側に凹設された係止溝１５を含んでいる。第１係着部１２の挿入側（図５中、上側）では、座部１６が、１ｍｍにも満たない僅かな高さで、貫通穴１３の外周縁に設けられ、後述するカバー支持部２０の一部位２１の着座性を高めている。
【００１６】
次に、カバー支持部２０について説明する。図４は、カバー支持部を示す正面図である。カバー支持部２０は、略ドーナツ形状に形成され、径方向Ｒ外側に突出した当該カバー支持部２０の一部位２１に、略円柱状の第２係着部２２を有している。このカバー支持部２０の一部位２１には、環状のストラップ２８が設けられている。第２係着部２２は、カバー本体部１０との接続箇所の片側として、カバー本体部１０の第１係着部１２と着脱可能に係着する部分である。第２係着部２２は、図５に示すように、突起部２３と、この突起部２３の外周面から外側に突出した係止片２５を含んでいる。
【００１７】
図６は、カバー本体部にカバー支持部を取付けた状態を示す説明図である。図５及び図６に示すように、スマートフォンカバー１では、カバー支持部２０の第２係着部２２の突起部２３が、カバー本体部１０の第１係着部１２の貫通穴１３内に挿入されると、第２係着部２２の係止片２５が、適度に弾性変形しながら第１係着部１２の係止溝１５に係着する。これにより、カバー本体部１０とカバー支持部２０とが一体に接続され、この状態で、カバー本体部１０をテーブルやベッド等の台上に置くと、スマートフォン５０に装着されたカバー本体部１０は、カバー支持部２０に支持された状態で、傾斜姿勢に載置できる。
【００１８】
一方、カバー支持部２０の第２係着部２２の突起部２３を、カバー本体部１０の第１係着部１２の貫通穴１３から引き出すと、第２係着部２２の係止片２５が適度に弾性変形しながら、第１係着部１２の係止溝１５との係着が解除される。これにより、カバー支持部２０がカバー本体部１０から取り外され、使用者は、カバー本体部１０だけが装着されたスマートフォン５０を、手に取って所定の操作を行うことができる。
【００１９】
次に、本実施形態に係るスマートフォンカバー１の作用・効果について説明する。本実施形態に係るスマートフォンカバー１では、画像を表示する画面５１が表側Ｓ１に配置されたスマートフォン５０に装着され、画面５１の外側で、スマートフォン５０の形状に沿ってスマートフォン５０を覆う形態に形成されたスマートフォンカバー１において、スマートフォン５０の裏側Ｓ２にある端末背面部５２を少なくとも覆ってスマートフォン５０に装着されるカバー本体部１０と、カバー本体部１０とは別体で、カバー本体部１０を支えるカバー支持部２０と、を有している。カバー本体部１０との接続箇所の片側として、カバー支持部２０には、カバー本体部１０に形成された第１係着部１２と着脱可能に係着する第２係着部２２が形成されていること、スマートフォン５０に装着されたカバー本体部１０が、第１係着部１２と第２係着部２２とを係着することにより、カバー支持部２０に支持された状態で、傾斜姿勢に載置できること、を特徴とする。
【００２０】
これにより、スマートフォン５０を手に持って操作するときに、カバー支持部２０をスマートフォンカバー１から取り外しておけば、操作時にカバー支持部２０が邪魔になることなく、スマートフォン５０の使用者は、従来通り、スマートフォンカバー１に違和感なく、スマートフォン５０を使用することができる。他方、スマートフォン５０の使用者が、スマートフォン５０を台上に置いて、画面５１の動画や写真等の画像を見る場合には、カバー本体部１０にカバー支持部２０を取付けると、スマートフォン５０の画面５１が、台上で斜めの姿勢に配置できる（図１参照）。そのため、この使用者が、スマートフォン５０の画面５１で画像を見るときでも、使用者は長い時間、見易い状態で、画像を見ることができる。
【００２１】
従って、本実施形態に係るスマートフォンカバー１によれば、スマートフォン５０に装着した状態では、使用者に違和感なく、かつスマートフォン５０の使い勝手を維持した上で、スマートフォン５０を載置して画像を見る場合でも、画像を見る人にとって見易く、安定した姿勢で画面を配置することができる、という優れた効果を奏する。
【００２２】
また、第２係着部２２は、ドーナツ形状のカバー支持部２０の径方向Ｒ外側に、カバー支持部２０の一部位２１から突出した突起部２３を有し、突起部２３の外周側に突出した係止片２５を含むものであること、第１係着部１２は、カバー本体部１０の一部位１１で、当該カバー本体部１０の厚み方向ｔに貫通した貫通穴１３を有し、貫通穴１３の内周面１４より外側に、係止片２５と係止可能に形成された係止溝１５を含むものであるので、スマートフォン５０の使用者が、スマートフォン５０を手に持って操作することと、スマートフォン５０を載置して画像を見ることを、選択的に頻繁に行う場合でも、カバー本体部１０に対し、カバー支持部２０の着脱が簡単にできる。
【００２３】
また、第１係着部１２と第２係着部２２との係着にあたり、第１係着部１２には、高さ１ｍｍ未満の座部１６以外に、カバー本体部１０の表面から突起物がない。そのため、スマートフォンカバー１からカバー支持部２０が取り外された状態であれば、スマートフォン５０を手に取った使用者は左程、座部１６の存在に違和感をいだくことなく、スマートフォンカバー１に装着されたスマートフォン５０を使用することができる。
【００２４】
また、カバー支持部２０がドーナツ形状となっているため、カバー支持部２０は、キーホルダーとしても用いることができ、アクセサリーの機能を兼ね備える。また、カバー支持部２０がカバー本体部１０から取り外された状態にあるときには、ストラップ２８により、例えば、首に吊るすことや、他のキーホルダーに取り付けておく等、カバー支持部２０の保管や管理を、より確実に行うことができる。
【００２５】
以上において、本考案を実施形態に即して説明したが、本考案は上記実施形態に限定されるものではなく、その要旨を逸脱しない範囲で適宜変更して適用できる。
（１）例えば、実施形態では、カバー支持部２０の接続位置を、装着された端末背面部５２と対向する一側部にあるカバー本体部１０の一部位１１としたが、カバー本体部に装着された携帯端末を、傾斜姿勢に載置したときに、カバー支持部でカバー本体部を支えることができる位置であれば、カバー本体部に対するカバー支持部の位置は、どこでも良い。
（２）また、図５に示した第１係着部１２及び第２係着部２２の構造は、あくまでも一例に過ぎず、カバー本体部の第１係着部とカバー支持部の第２係着部とが、着脱可能に係着できれば、第１係着部及び第２係着部の構造は、特に限定されるものでなない。
（３）また、実施形態では、カバー支持部２０をドーナツ形状としたが、カバー支持部の形状、構造、構成は、カバー本体部を装着した携帯端末の画面を斜めの姿勢で、載置したこの携帯端末を支えることができれば良く、ドーナツ形状に限定されるものではない。
【符号の説明】
【００２６】
１  スマートフォンカバー（携帯端末用カバー）
１０  カバー本体部
１１  カバー本体部の一部位
１２  第１係着部
１３  貫通穴
１４  貫通穴の内周面
１５  係止溝
２０  カバー支持部
２１  カバー支持部の一部位
２２  第２係着部
２３  突起部
２５  係止片
５０  スマートフォン（携帯端末）
５１  画面
５２  端末背面部
Ｓ１  表側
Ｓ２  裏側
Ｒ  径方向
ｔ  厚み方向
【図１】
0003201080.tif 000003
【図２】
0003201080.tif 000004
【図３】
0003201080.tif 000005
【図４】
0003201080.tif 000006
【図５】
0003201080.tif 000007
【図６】
0003201080.tif 000008